(57)【要約】【課題】両ハウジングが正しい嵌合状態にあることを保証する。【解決手段】第２ハウジング４０には、装着完了位置へ向かう過程で第１、第２ハウジング１０、４０の嵌合動作を助勢するスライダ７０が装着されている。第２ハウジング４０にはパネル９０の取付孔９１の口縁に弾性的に係止されるロック部４７が撓み可能に設けられている。装着完了位置に至ったスライダ７０によって両ハウジング１０、４０が正規嵌合された後、ロック部４７による係止作用によって第２ハウジング４０が第１ハウジング１０とともにパネル９０に取り付けられる。スライダ７０は、装着完了位置においてロック部４７と対応位置してロック部４７の撓み動作を許容する逃がし部８２と、装着完了位置に向かう過程においてロック部４７と干渉することでロック部４７の撓み動作を規制する干渉部８１とを有している。【選択図】図２
2010040376.tif 000002
【特許請求の範囲】
【請求項１】
互いに嵌合可能な第１、第２ハウジングと、前記第２ハウジングに対して移動可能に装着され、装着完了位置へ向かう過程で前記両ハウジングの嵌合動作を助勢する嵌合補助部材とを備え、前記第２ハウジングには被取付部に弾性的に係止されるロック部が撓み可能に設けられ、前記装着完了位置に至った前記嵌合補助部材によって前記両ハウジングが正規嵌合された後、前記ロック部による係止作用によって前記第２ハウジングが前記第１ハウジングとともに前記被取付部に取り付けられるコネクタであって、
前記嵌合補助部材は、前記装着完了位置において前記ロック部と対応位置して前記ロック部の撓み動作を許容する逃がし部と、前記装着完了位置に向かう過程において前記ロック部と干渉することで前記ロック部の撓み動作を規制する干渉部とを有していることを特徴とするコネクタ。
【請求項２】
前記嵌合補助部材は、前記第１ハウジングに設けられたカムフォロアと係合可能なカム溝を有し、前記装着完了位置へと移動されるに伴い、前記カム溝と前記カムフォロアとの係合によるカム作用によって前記両ハウジングを嵌合状態とするスライダからなり、前記被取付部は、前記両ハウジングを内嵌可能な取付孔を有するパネルからなり、
前記スライダの移動方向が、前記両ハウジングの嵌合方向と交差する方向であって、前記パネルの板面方向と平行な向きに設定されている請求項１記載のコネクタ。
【請求項３】
前記スライダには前記カム溝を有するカム板が設けられ、前記逃がし部は、前記カム板をその板厚を減ずる方向に切り欠いて形成されている請求項２記載のコネクタ。
【発明の詳細な説明】
【技術分野】
【０００１】
本発明は、コネクタに関する。
【背景技術】
【０００２】
特許文献１に記載のコネクタは、パネルに取り付けられるコネクタであって、互いに嵌合可能な第１、第２ハウジングと、第２ハウジングに対して初期位置と完了位置との間を回動可能に装着されて、両ハウジングの嵌合動作を助勢するレバーとを備えている。第１ハウジングにはロック部が撓み可能に設けられており、このロック部がパネルに形成された取付孔の口縁に弾性的に係止されることにより、第１ハウジングがパネルの取付孔に内嵌状態で取り付けられる。こうして待受状態にある第１ハウジングに対して第２ハウジングが浅く嵌合され、その状態でレバーが完了位置へ向けて回動されることにより、両ハウジングが互いに正規嵌合されるようになっている。
【特許文献１】特開２００７−１９４０８１公報
【発明の開示】
【発明が解決しようとする課題】
【０００３】
ところで、上記のコネクタにおいては、パネルの存在によってレバーの回動操作を行い難い等という事情もあって、レバーが完了位置に至っていないにも関わらず、レバーの回動操作を終えてしまう可能性がある。このため、両ハウジングが正しく嵌合されないばかりか、それに気付かないおそれがある。
【０００４】
本発明は上記のような事情に基づいて完成されたものであって、両ハウジングが正しい嵌合状態にあることを保証することを目的とする。
【課題を解決するための手段】
【０００５】
上記の目的を達成するための手段として、請求項１の発明は、互いに嵌合可能な第１、第２ハウジングと、前記第２ハウジングに対して移動可能に装着され、装着完了位置へ向かう過程で前記両ハウジングの嵌合動作を助勢する嵌合補助部材とを備え、前記第２ハウジングには被取付部に弾性的に係止されるロック部が撓み可能に設けられ、前記装着完了位置に至った前記嵌合補助部材によって前記両ハウジングが正規嵌合された後、前記ロック部による係止作用によって前記第２ハウジングが前記第１ハウジングとともに前記被取付部に取り付けられるコネクタであって、前記嵌合補助部材は、前記装着完了位置において前記ロック部と対応位置して前記ロック部の撓み動作を許容する逃がし部と、前記装着完了位置に向かう過程において前記ロック部と干渉することで前記ロック部の撓み動作を規制する干渉部とを有している構成としたところに特徴を有する。
【０００６】
請求項２の発明は、請求項１に記載のものにおいて、前記嵌合補助部材は、前記第１ハウジングに設けられたカムフォロアと係合可能なカム溝を有し、前記装着完了位置へと移動されるに伴い、前記カム溝と前記カムフォロアとの係合によるカム作用によって前記両ハウジングを嵌合状態とするスライダからなり、前記被取付部は、前記両ハウジングを内嵌可能な取付孔を有するパネルからなり、前記スライダの移動方向が、前記両ハウジングの嵌合方向と交差する方向であって、前記パネルの板面方向と平行な向きに設定されているところに特徴を有する。
【０００７】
請求項３の発明は、請求項１又は２に記載のものにおいて、前記スライダには前記カム溝を有するカム板が設けられ、前記逃がし部は、前記カム板をその板厚を減ずる方向に切り欠いて形成されているところに特徴を有する。
【発明の効果】
【０００８】
＜請求項１の発明＞
嵌合補助部材が装着完了位置に至ると、第１、第２ハウジングが正規嵌合されるとともに、逃がし部によってロック部の撓み動作が許容される。この状態でロック部が被取付部に弾性的に係止されると、上記の正規嵌合された両ハウジングが被取付部に正しく取り付けられることとなる。一方、作業者の勘違い等によって嵌合補助部材が装着完了位置より手前に留め置かれると、両ハウジングが正規嵌合されない半嵌合状態になるとともに、干渉部がロック部と干渉してロック部の撓み動作が規制される。このため、ロック部が被取付部との係止状態を実現し得ず、ひいては上記の半嵌合状態にある両ハウジングの被取付部への取り付けが阻止される。つまり、両ハウジングの被取付部への取り付けの可否によって、両ハウジングが正規嵌合状態にあるのか否かがわかり、両ハウジングが半嵌合状態のまま放置される事態を回避できる。
【０００９】
＜請求項２の発明＞
スライダの移動方向が両ハウジングの嵌合方向と交差する方向であってパネルの板面方向と平行な向きに設定されているため、スライダがパネルから大きく出っ張ることがなく、周囲との干渉を回避できる。
【００１０】
＜請求項３の発明＞
逃がし部がカム板をその板厚を減ずる方向に切り欠いて形成されているから、スライダが板厚方向に大型となるのを回避でき、ひいては第２ハウジング及び取付孔の大型化を回避できる。
【発明を実施するための最良の形態】
【００１１】
＜実施形態１＞
本発明の実施形態１を図１ないし図１３によって説明する。本実施形態に係るコネクタは、パネル取付型コネクタを例示するものであって、互いに嵌合可能な合成樹脂製の第１、第２ハウジング１０、４０と、第２ハウジング４０に移動可能に組み付けられる同じく合成樹脂製のスライダ７０とを備えている。第２ハウジング４０は単一の雄側ハウジングとして構成され、第１ハウジング１０は複数の雌側ハウジングとして構成されている。なお、以下の説明において前後方向については両ハウジング１０、４０の互いの嵌合面側を前方とする。
【００１２】
第２ハウジング４０は、図１、図７及び図８に示すように、雄型端子金具（図示せず）を収容可能な縦長角ブロック状のハウジング本体４１と、ハウジング本体４１の前端周縁から前方へ突出する縦長角筒状のフード部４２とからなる。フード部４２内には雄型端子金具のタブが突出状態で配置され、ハウジング本体４１の後面には雄型端子金具に接続された電線Ｗ１が引き出されている（図２を参照）。第２ハウジング４０には第１ハウジング１０を嵌合して収容可能な複数（詳細には２つ）の収容部４３が縦並びで設けられている。フード部４２の高さ方向略中央部には、上下の各収容部４３間を仕切る仕切壁４４が略水平に架設されている。
【００１３】
ハウジング本体４１の外面の前端でかつフード部４２の外面の後端（つまりハウジング本体４１とフード部４２との境界部位）からは縦長円環状のフランジ部４５が全周に亘って張り出して設けられている。フランジ部４５の外周縁部には、ハウジング本体４１及びそこから引き出された電線Ｗ１を覆うブーツ状の形態をなすゴム製のグロメット４６が後方から被せ付けられている（図２を参照）。また、フランジ部４５の前面には、高さ方向略中央部でかつフード部４２を挟んだ左右両側の位置に、パネル９０に形成された取付孔９１の口縁に弾性的に係止可能な一対のロック部４７が設けられている。ロック部４７は、フランジ部４５の前面から前方へ向けて真直ぐ延びるロック本体４８と、ロック本体４８の先端部から外向きに突出するロック爪４９とからなり、ロック本体４８が幅方向（内外方向）に撓み変形可能とされ、ロック爪４９が取付孔９１の口縁における被係止面９４に抜け止め状態で当接可能とされている。
【００１４】
パネル９０の取付孔９１は、第２ハウジング４０をスライダ７０とともに収容可能な大きさをもって縦長矩形状に開口する主孔９３と、主孔９３の両側縁の高さ方向略中央部に切り欠いて設けられて前方からロック部４７が進入可能な矩形状をなす一対の副孔９２とからなる。上記の被係止面９４は、パネル９０の裏面側における副孔９２の口縁部に構成されている。
【００１５】
フード部４２の両側外面は、スライダ７０のカム板７２（後述する）が摺動可能に装着される取付面５０とされている。フード部４２の取付面５０の前端には高さ方向の全長に亘って延びる一対の前側張出部５１が設けられ、取付面５０の後端寄りには同じく高さ方向の全長に亘って延びる一対の後側張出部５２が設けられている。前側張出部５１はフード部４２の前端開口縁を構成しつつカム板７２の板厚分だけ外向きに張り出す縦長の板状をなしている。これに対して後側張出部５２は、カム板７２の板厚より小さい張出量をもって前側張出部５１と平行に配置される外側張出片５３と、その先端部から後方へ向けて突出する後側張出片５４とからなり、全体として断面Ｌの字で縦長の板状をなしている。前側張出部５１はカム板７２の前端に摺動可能とされ、後側張出部５２はカム板７２の内面に形成されたガイド溝７３（後述する）の溝面に摺動可能とされている。なお、後側張出部５２は、前後方向についてロック部４７と重なる位置にあるものの、撓み変形されるロック部４７と干渉することはない。
【００１６】
フード部４２における各収容部４３の両側壁には、それぞれ第１ハウジング１０のカムフォロア２１（後述する）が進入可能な一対ずつの進入溝５５が前後方向に延びるとともにフード部４２の前端開口縁に開口して形成されている。この進入溝５５は、取付面５０に連通しつつ前側張出部５１を前後方向（板厚方向）に貫通する形態をなしている。また、フード部４２における各収容部４３の両側内面には、それぞれ第１ハウジング１０の嵌合動作を案内可能な一対の案内リブ５６が前後方向に延びて形成されている。上段の収容部４３における案内リブ５６は高さ方向中央より上方に形成され、下段の収容部４３における案内リブ５６は高さ方向中央より下方に形成されている。さらに、各収容部４３には、それぞれ第１ハウジング１０が正逆反転した状態で嵌合されるのを防止する誤結防止リブ５７が設けられている。上段の収容部４３における誤結防止リブ５７は仕切壁４４の上面の幅方向中央より一側寄りに立ち上げ形成され、下段の収容部４３における誤結防止リブ５７はフード部４２の下壁上面の同じく幅方向中央より一側寄りに立ち上げ形成されている。なお、案内リブ５６及び誤結防止リブ５７はいずれもフード部４２の前後方向途中から奥端にかけて形成されている。
【００１７】
第１ハウジング１０は、図１、図９〜図１１に示すように、全体として角ブロック状をなし、その内部に、幅方向に複数列でかつ高さ方向に複数段のキャビティ１１が前後に貫通して形成されている。各キャビティ１１には後方から電線Ｗ２の端末に接続された雌型端子金具（図示せず）が収容され、第１、第２ハウジング１０、４０が正規嵌合されるに伴って各雌型端子金具が対応する雄型端子金具と導通接続されるようになっている。各キャビティ１１のうち、幅方向の両側に位置する両側キャビティ群１２には大型の雌型端子金具が挿入可能とされ、幅方向の中間に位置する中間キャビティ群１３には小型の雌型端子金具が挿入可能とされている。第１ハウジング１０には、リテーナ３０が装着可能な装着孔１４が両側面及び下面の３面に開口して形成されている。第１ハウジング１０の後部の外面には前部の外面から一段落ちた形態の凹所１５が形成されており、凹所１５の底面に装着孔１４の開口が臨んでいる。凹所１５の底面の両側には仮係止部１６と本係止部１７とが高さ方向に並んで設けられている。装着孔１４は、各キャビティ１１に通じる深さをもって形成され、両側キャビティ群１２と対応する両側装着孔１８と中間キャビティ群１３と対応する中間装着孔１９とからなる。図１１に示すように、両側装着孔１８と中間装着孔１９とは前後方向について相互の形成位置を異にしており、中間装着孔１９のほうが両側装着孔１８よりも前方に位置するように構成されている。かかる装着孔１４の位置ずれ構造により、装着孔１４が３方向に開放されるという事情があっても、第１ハウジング１０の強度が格別低下しなくて済むようになっている。また、第１ハウジング１０の下面には、その前端から中間装着孔１９の一側端にかけて前後方向に延びるスリット状の誤結防止受溝２０が設けられている。第１ハウジング１０の各収容部４３への嵌合時に、第１ハウジング１０が正規の挿入姿勢をとっていれば、誤結防止受溝２０に誤結防止リブ５７が挿入可能とされている。
【００１８】
リテーナ３０は合成樹脂製であって、仮係止位置と本係止位置とに移動可能とされ、仮係止位置では仮係止部１６に係止保持され、本係止位置では本係止部１７に係止保持されるようになっている。そして、リテーナ３０は、図１に示すように、基板３１と、その幅方向両端から立ち上がる一対の側板３２と、基板３１の上面に突設される格子状の保持部３３とによって構成されている。保持部３３には、各キャビティ１１と対応する位置毎に抜止突部３４が形成されている。また、保持部３３は、両側装着孔１８内に進入する両側保持部３５と、中間装着孔１９内に進入する中間保持部３６とからなり、中間保持部３６が両側保持部３５より前方に位置し、かつ両側保持部３５より高背とされている。
【００１９】
第１ハウジング１０の両側面には、幅方向略中央部でかつ高さ方向略中央部に、一対のカムフォロア２１が突設されている。カムフォロア２１は円柱状をなし、第１、第２ハウジング１０、４０の嵌合過程で進入溝５５内に進入するとともにスライダ７０のカム溝７５（後述する）と係合するようになっている。
【００２０】
また、第１ハウジング１０の両側面には、案内リブ５６を受け入れ可能なリブ受溝２２が前後方向に延びて設けられている。リブ受溝２２の前端は第１ハウジング１０の前端に開口し、リブ受溝２２の後端は装着孔１４の側面開口の前端に臨んでいる。図９に示すように、上段の収容部４３に嵌合可能な第１ハウジング１０におけるリブ受溝２２はカムフォロア２１より上方に設置され、図１０に示すように、下段の収容部４３に嵌合可能な第１ハウジング１０におけるリブ受溝２２はカムフォロア２１より下方に設置されている。これにより、上下両段の収容部４３のそれぞれに対応する第１ハウジング１０のみが嵌合可能とされ（図５を参照）、下段の収容部４３に嵌合されるべき第１ハウジング１０が誤って上段の収容部４３に嵌合されたり、上段の収容部４３に嵌合されるべき第１ハウジング１０が誤って下段の収容部４３に嵌合されたりすることがないようにしてある。なお、上下の各第１ハウジング１０のうち、リブ受溝２２を除く部分は同一の形状をもった共通構造とされている。
【００２１】
続いてスライダ７０について説明すると、スライダ７０は、図１、図１２及び図１３に示すように、操作板７１と、その幅方向の両端から立ち上がる一対のカム板７２とによって門型に構成され、第２ハウジング４０のフード部４２に下方から跨ぐようにして装着可能とされている。かかるスライダ７０は、フード部４２に浅く嵌合されることで操作板７１がフード部４２の下壁から離れて位置する初期位置と、フード部４２に深く嵌合されることで操作板７１がフード部４２の下壁下面に当接可能に位置する装着完了位置とに直進状に移動可能とされている。スライダ７０の移動方向は、第１、第２ハウジング１０、４０の嵌合方向とは直交する方向である、各第１ハウジング１０の並列方向、つまり第２ハウジング４０の高さ方向であって、パネル９０の板面方向と平行な向きに設定されている。なお、本実施形態における初期位置は任意位置とされ、定位置として設定されているわけではない。もちろん、第２ハウジング４０に仮止手段を設けることで、スライダ７０が初期位置に留め置かれる構成としてもよい。
【００２２】
カム板７２の板厚寸法は、操作板７１の板厚寸法にほぼ等しく、前側張出部５１の張出量にほぼ等しい。各カム板７２の内面の後端寄りには、一対のガイド溝７３が高さ方向の全長に亘って凹み形成されている。ガイド溝７３は後側張出部５２を嵌合可能な断面Ｌの字の形状をなし、後側張出片５４を受容する部位が前方へ張り出す規制片７４とされている。ガイド溝７３の溝面に後側張出部５２が摺動することにより、スライダ７０の移動操作が案内されるとともに、第１、第２ハウジング１０、４０の嵌合に伴って発生する嵌合力によってカム板７２が外側に開き変形するのが規制片７４で阻止されるようになっている。
【００２３】
また、各カム板７２の内面には、ガイド溝７３より前方に、各第１ハウジング１０のカムフォロア２１のそれぞれに対して装着完了位置への移動方向の手前側から順に係合可能な一対のカム溝７５が凹み形成されている。このカム溝７５は、各カム板７２において各第１ハウジング１０のカムフォロア２１によって共有される単一の共通溝とされている。詳しくはカム溝７５は、図１２に示すように、ガイド溝７３と同様に有底であって、カム板７２の上端に開口して高さ方向に短く延びる導入部７６と、導入部７６の下端から斜め下後方に所定の勾配をもって延びるカム本体部７７と、カム本体部７７の下端から下方へ向けて高さ方向に真直ぐ延びる遊び部７８とからなる。遊び部７８は、カム本体部７７の２倍以上の長さをもって構成されている。カム本体部７７ではカムフォロア２１との間にカム作用が発揮されて、第１、第２ハウジング１０、４０が低嵌合力で嵌合可能とされ、遊び部７８には先に嵌合されて役割を終えたカムフォロア２１が進入して逃されるようになっている。なお、カム溝７５の溝幅は、入り口の誘い込み部７９を除いて同幅であって進入溝５５の溝幅にほぼ等しく、カムフォロア２１の直径にほぼ等しい。
【００２４】
各カム板７２は、第２ハウジング４０の取付面５０への装着によってロック部４７の撓み空間に進入可能とされている。各カム板７２の外面の後端部には、スライダ７０が初期位置から装着完了位置へと移動する過程でロック部４７とその撓み方向で摺接する干渉部８１が高さ方向に沿って設けられている。干渉部８１は、その前方に位置する各カム板７２の一般外面と面一で連続する形態であって、特有の構造をもってはいない。一方、各カム板７２の外面の後端部には、スライダ７０が装着完了位置に至った状態でロック部４７とその撓み動作を許容しつつ対応する逃がし部８２が切り欠いて設けられている。逃がし部８２は、カム板７２をその外側から板厚方向に切除してなり、ロック部４７を内嵌可能な矩形状に開口されている。逃がし部８２の略前半部はガイド溝７３に通じて板厚方向に貫通されており、逃がし部８２の略後半部は規制片７４によってその底部が区画されている。
【００２５】
次に、本実施形態の作用を説明する。  
まず、第２ハウジング４０に雄型端子金具を挿入するとともに、第１ハウジング１０に雌型端子金具を挿入する。第１ハウジング１０については装着孔１４にリテーナ３０を装着し、抜止突部３４によって雌型端子金具の抜け止めを行うようにする。続いて、第２ハウジング４０のフード部４２の進入溝５５内に前方から第１ハウジング１０のカムフォロア２１を進入させ、フード部４２の各収容部４３に第１ハウジング１０を挿入する。第１ハウジング１０が正規姿勢をとっていれば、誤結防止受溝２０に誤結防止リブ５７が嵌合状態で進入し、第１ハウジング１０が各収容部４３に円滑に挿入される。一方、第１ハウジング１０が正逆反転姿勢をとっていれば、誤結防止リブ５７が第１ハウジング１０の壁面（前面又は後面）に突き当たって第１ハウジング１０の各収容部４３への挿入動作が規制される。また、第１ハウジング１０が本来とは異なる収容部４３に挿入されようとすると、リブ受溝２２と案内リブ５６が対応しないため、上記同様、第１ハウジング１０の各収容部４３への挿入動作が規制される。これにより、収容部４３に対する各第１ハウジング１０の誤嵌合が確実に防止される。
【００２６】
そして、各収容部４３に第１ハウジング１０が浅く嵌合されると、図４に示すように、第１ハウジング１０が収容部４３内における図示しない仮保持部によって仮止めされ、第１ハウジング１０のそれ以上の挿入動作がいったん規制される。この仮止位置は、カムフォロア２１がカム溝７５の入り口に進入可能に対応する位置とされ、図示する場合は進入溝５５の前後方向略中央部とされている。仮保持部は、例えば、進入溝５５の溝縁においてカムフォロア２１と干渉可能に形成された小突起によって構成されている。
【００２７】
上記の状態から、操作板７１を摘みつつスライダ７０を装着完了位置へ向けて押し込む。すると、スライダ７０の移動方向の手前に位置する下段（先行）の第１ハウジング１０におけるカムフォロア２１がスライダ７０のカム溝７５内に進入し、スライダ７０の移動に伴ってカムフォロア２１が導入部７６からカム本体部７７へと移行する。カムフォロア２１が進入溝５５を移動するとともにカム本体部７７を移動することにより、下段（先行）の第１ハウジング１０が収容部４３の奥側へ引き寄せられる。そして、カムフォロア２１が進入溝５５の奥端に到達するとともに、カム本体部７７の終端に到達すると、下段（先行）の第１ハウジング１０が対応する収容部４３に正規深さで嵌合され、同時に、雌型端子金具が雄型端子金具と正規深さで導通接続される。このとき、スライダ７０は全ストロークの概ね半分を通過する位置にある。
【００２８】
さらにスライダ７０を装着完了位置へ向けて押し込むと、図３に示すように、今度は上段（後行）の第１ハウジング１０におけるカムフォロア２１がカム溝７５内に進入する。こうしてスライダ７０が装着完了位置に至ると、上記同様、カムフォロア２１とカム本体部７７とによるカム作用によって上段（後行）の第１ハウジング１０が対応する収容部４３に正規深さで嵌合される。上段（後行）の第１ハウジング１０の移動過程では、下段（先行）の第１ハウジング１０におけるカムフォロア２１が遊び部７８を相対的に下向きに移動する一方で、第１ハウジング１０自体は定位置に留め置かれる。上段（後行）の第１ハウジング１０が正規嵌合された状態では、図２に示すように、上段（後方）の第１ハウジング１０におけるカムフォロア２１が遊び部７８の始端に位置するとともに、下段（先行）の第１ハウジング１０におけるカムフォロア２１が遊び部７８の終端に位置する。これにより、各第１ハウジング１０が時間差をおいて順次収容部４３に嵌合されることとなる。
【００２９】
ところで、上記スライダ７０の装着完了位置への移動過程では、図３及び図６に示すように、スライダ７０のカム板７２における干渉部８１がロック部４７の撓み空間に進入して、ロック部４７と摺接可能に対応位置することで、ロック部４７の撓み動作が規制される。この場合、ロック部４７は干渉部８１と当接して撓み変形された状態にある。その後、スライダ７０が装着完了位置に至ると、図２及び図５に示すように、スライダ７０のカム板７２における逃がし部８２がロック部４７と対応位置してロック部４７の撓み空間が開放され、ロック部４７の撓み動作が許容される。この場合、ロック部４７は逃がし部８２内に一部進入して自然状態にある。
【００３０】
上記により両ハウジング１０、４０が嵌合された状態で、パネル９０の取付孔９１に対してその表面側から第２ハウジング４０を第１ハウジング１０ともども挿入する。第１、第２ハウジング１０、４０の取付孔９１への挿入過程では、ロック爪４９が副孔９２の孔縁と干渉して、ロック部４７が逃がし部８２内（内向き）に撓み変形される。第２ハウジング４０が取付孔９１に正規深さで内嵌されると、ロック爪４９が取付孔９１を通過するとともにロック部４７が弾性的に復元して、ロック爪４９が取付孔９１の被係止面９４に当接し、もって第２ハウジング４０が第１ハウジング１０ともども取付孔９１に抜け止め状態で取り付けられる。このとき、スライダ７０の後端部は取付孔９１内に部分的に入り込んでいる。またこのとき、グロメット４６の前端開口縁がパネル９０の表面に密着して、第２ハウジング４０内の防水性が確保される。
【００３１】
一方、スライダ７０が装着完了位置に至る手前の位置で留め置かれ、各第１ハウジング１０のうち少なくとも上段の第１ハウジング１０が正規嵌合されていない半嵌合状態にある場合には、干渉部８１によってロック部４７の撓み動作が規制されるため、ロック爪４９が副孔９２を通過することができず、ロック部４７が被係止面９４に係止不能とされ、ひいては第２ハウジング４０のパネル９０への取り付けが規制される。したがって、この状態を確認することにより、スライダ７０が装着完了位置に至っておらず、第１、第２ハウジング１０、４０が半嵌合状態にあることがわかる。なお、過度の押し込み力の付与により、万一、ロック爪４９が副孔９２を通過しても、第２ハウジング４０のフード部４２の下面から浮き上がった位置にある操作板７１がパネル９０の表面側に突き当たり、第２ハウジング４０の取付孔９１への挿入動作が規制されるため、これをもってしても第１、第２ハウジング１０、４０が半嵌合状態にあることがわかる。
【００３２】
以上説明したように本実施形態によれば、干渉部８１がロック部４７の撓み動作を規制することにより、第２ハウジング４０のパネル９０への取り付けが阻止されるから、第１、第２ハウジング１０、４０が半嵌合状態にあることが確実にわかり、第１、第２ハウジング１０、４０が半嵌合状態のまま放置される事態を回避できる。この結果、両ハウジング１０、４０が正規の嵌合状態にあることが保証される。
【００３３】
また、スライダ７０の移動方向がパネル９０の板面方向と平行な向きに設定されているから、スライダ７０がパネル９０から大きく出っ張ることがなく、パネル９０周辺部品との干渉を回避できる。
【００３４】
また、逃がし部８２がカム板７２をその板厚を減ずる方向に切り欠いて形成されているから、スライダ７０が板厚方向に大型となるのを回避でき、ひいては第２ハウジング４０の大型化を回避できるとともに、この第２ハウジング４０を内嵌する取付孔９１の大型化をも回避できる。
【００３５】
さらに、第２ハウジング４０に対してスライダ７０が第１ハウジング１０の並列方向に移動することにより、カム溝７５が各カムフォロア２１と順次係合し、それによって各第１ハウジング１０が第２ハウジング４０に時間差をおいて嵌合されるから、各第１ハウジング１０が一斉に嵌合される場合に比べ、全体として嵌合力が低減される。また、各カムフォロア２１に対して共通のカム溝７５が形成されているに過ぎないから、各カムフォロア２１に対して個別のカム溝が形成されている場合に比べてカム溝の個数を減らすことができ、スライダ７０の構成が簡素化される。
【００３６】
さらに、下段（先行）の第１ハウジング１０がその嵌合動作を終了した後、上段（後行）の第１ハウジング１０がその嵌合動作を開始するから、両第１ハウジング１０の嵌合タイミングが重なることがなく、嵌合力がよりいっそう低減される。また、遊び部７８の設定によって先行のカムフォロア２１を容易に逃がすことが可能となる。
【００３７】
さらに、第２ハウジング４０に仮保持部が設けられることにより、第１ハウジング１０がスライダ７０と係合可能な位置に仮止めされるから、スライダ７０の移動操作の円滑性が確保される。
【００３８】
＜他の実施形態＞
本発明は上記記述及び図面によって説明した実施形態に限定されるものではなく、例えば次のような実施形態も本発明の技術的範囲に含まれる。  
（１）スライダの代わりに、回動式、てこ式、又はラックピニオン式のレバーを用いて、第１、第２ハウジングの嵌合動作を助勢する構成であってもよい。  
（２）干渉部がカム板の外面において高さ方向にリブ状に突出して形成され、逃がし部がこの干渉部の途中部位を切除して形成されてもよい。  
（３）第２ハウジングがパネルではなく機器のブラケットに取り付けられるものであってもよい。  
（４）ロック部は、スライダの装着完了位置への移動過程で干渉部と対応する位置にあっても自然状態に保たれいて、多少の撓み動作が許容されるものであってもよい。  
（５）逃がし部は、規制片をも切除してカム板を完全に貫通する形態であってもよく、またガイド溝とは非連通とされる有底溝であってもよい。  
（６）先行の第１ハウジングがその嵌合動作を終了する前に、後行の第１ハウジングがその嵌合動作を開始するように、カム溝を形成してもよい。  
（７）第１ハウジングが３つ以上設けられ、第２ハウジングがこれら第１ハウジングの全てを収容可能に構成されていてもよい。  
（８）第１ハウジングが雄側ハウジングとされ、第２ハウジングが雌側ハウジングとされてもよい。
【図面の簡単な説明】
【００３９】
【図１】本発明の実施形態１に係るコネクタの分解斜視図である。
【図２】パネルに取り付けられたコネクタの要部破断側面図である。
【図３】スライダを装着完了位置へ向けて押し込む途中におけるコネクタの要部破断側面図である。
【図４】スライダを組み付ける前の状態におけるコネクタの要部破断側面図である。
【図５】スライダを装着完了位置に組み付けた状態におけるコネクタの縦断面図である。
【図６】スライダを装着完了位置に至る手間に留め置いた状態におけるコネクタの縦断面図である。
【図７】第２ハウジングの側面図である。
【図８】第２ハウジングの正面図である。
【図９】上段の第１ハウジングの背面図である。
【図１０】下段の第１ハウジングの背面図である。
【図１１】第１ハウジングの底面図である。
【図１２】スライダの側断面図である。
【図１３】スライダの平面図である。
【符号の説明】
【００４０】
１０…第１ハウジング
２１…カムフォロア（係合受部）
４０…第２ハウジング
４３…収容部
４５…フランジ部
４７…ロック部
７０…スライダ（嵌合補助部材）
７２…カム板
７５…カム溝（係合部）
８１…干渉部
８２…逃がし部
９０…パネル（被取付部）
９１…取付孔
【図１】
2010040376.tif 000003
【図２】
2010040376.tif 000004
【図３】
2010040376.tif 000005
【図４】
2010040376.tif 000006
【図５】
2010040376.tif 000007
【図６】
2010040376.tif 000008
【図７】
2010040376.tif 000009
【図８】
2010040376.tif 000010
【図９】
2010040376.tif 000011
【図１０】
2010040376.tif 000012
【図１１】
2010040376.tif 000013
【図１２】
2010040376.tif 000014
【図１３】
2010040376.tif 000015